(57)【特許請求の範囲】
【請求項１】
排気路を形成する内側排気筒と、その外側に給気路を形成するための外側給気筒とを備えた給排気筒本体と、排気路を形成する外側排気筒と、その外側に給気路を形成する内側給気筒とを備えた給排気筒トップとを有する給排気装置に於いて、外周面が内側排気筒の内周面と接するように内側排気筒内に固定して設ける内側排気筒用中和部材と、外周面が外側排気筒の内周面と接するように外側排気筒内に固定して設ける外側排気筒用中和部材とを備え、前記内側排気筒用中和部材と外側排気筒用中和部材とを中和剤により中空円筒状に成形したことを特徴とする給排気装置。
【請求項２】
排気路を形成する内側排気筒と、その外側に給気路を形成するための外側給気筒とを備えた給排気筒本体と、排気路を形成する外側排気筒と、その外側に給気路を形成する内側給気筒とを備えた給排気筒トップとを有する給排気装置に於いて、外周面が内側排気筒の内周面と接するように内側排気筒内に固定して設ける内側排気筒用中和部材と、外周面が外側排気筒の内周面と接するように外側排気筒内に固定して設ける外側排気筒用中和部材とを備え、前記内側排気筒用中和部材を、内側排気筒用外金網部材と内側排気筒用内金網部材との二重の金網で形成した内側排気筒用円筒部材と、該内側排気筒用円筒部材の内側排気筒用外金網部材と内側排気筒用内金網部材との間に配置されて内側排気筒用外金網部材と内側排気筒用内金網部材とで固定された中和剤とで形成すると共に、前記外側排気筒用中和部材を、外側排気筒用外金網部材と外側排気筒用内金網部材との二重の金網で形成した外側排気筒用円筒部材と、該外側排気筒用円筒部材の外側排気筒用外金網部材と外側排気筒用内金網部材との間に配置されて外側排気筒用外金網部材と外側排気筒用内金網部材とで固定された中和剤とで形成したことを特徴とする給排気装置。
【発明の詳細な説明】
【技術分野】
【０００１】
この発明は、燃焼器具、特に、燃焼排気の顕熱及び潜熱を吸収する熱交換器を備えた燃焼器具の給排気装置の構造に関するものである。
【背景技術】
【０００２】
従来からこの種のものに於いては、排気筒の内周壁に付着したドレンは、水抜き孔から、給湯機の前板の外表面を伝って地面に落下していたが、前記ドレンは、缶体内で発生するドレンと同様、燃焼排気中の窒素酸化物や硫黄酸化物等が含まれているためにｐＨ＝３程度の酸性となっており、このため、ドレンが前板を伝ったあとに沿って錆が発生し易く、前記前板を腐食させてしまったり、排気筒内を腐食させてしまったり、また、地面に落ちて地面のコンクリートを変質させたりする不都合があった。
【０００３】
特に熱交換器により顕熱及び潜熱を吸収する給湯機等の燃焼器具の場合、熱交換器により顕熱及び潜熱が吸収された後であるから温度が低く且水蒸気が飽和した状態となっているため、特に冬期においては排気筒の外気に近い排気口近傍でドレンが多く発生していた。
【０００４】
そこで、排気筒を排気口からドレン中和装置まで連続して降下するとともに、ドレン中和装置内に連通する構成とすることにより、排気筒内で発生したドレンの全てがドレン中和装置に向かって流れ落ちて行き、器具内部で発生したドレンと一緒になってドレン中和装置に送られ、中和装置内で中和されて外部に排出されていた。（例えば、特許文献１）
【先行技術文献】
【特許文献】
【０００５】
【特許文献１】特開１１−３３７０５３号公報
【発明の概要】
【発明が解決しようとする課題】
【０００６】
ところでこの従来のものでは、排気筒を排気口からドレン中和装置まで連続して降下するという特別の構造が必要となるために既存の排気筒を使用することができず、又給湯機等の燃焼器具本体も排気筒内で発生したドレンの全てがドレン中和装置に向かって流れ落ちて行く特別の構造が必要となって、器具が大型化したりコストが増加する欠点があった。
【０００７】
又、排気筒内で発生したドレンの全てを中和装置で中和させるため、器具内部で発生したドレンのみを中和させる場合と比べて中和装置内の中和剤の減少が早く、中和装置内への中和剤の補充や中和装置の交換が必要となる欠点があった。
【課題を解決するための手段】
【０００８】
この発明はこの点に着目し上記課題を解決する為、特にその構成を請求項１では、排気路を形成する内側排気筒と、その外側に給気路を形成するための外側給気筒とを備えた給排気筒本体と、排気路を形成する外側排気筒と、その外側に給気路を形成する内側給気筒とを備えた給排気筒トップとを有する給排気装置に於いて、外周面が内側排気筒の内周面と接するように内側排気筒内に固定して設ける内側排気筒用中和部材と、外周面が外側排気筒の内周面と接するように外側排気筒内に固定して設ける外側排気筒用中和部材とを備え、前記内側排気筒用中和部材と外側排気筒用中和部材とを中和剤により中空円筒状に成形したものである。
【０００９】
又、請求項２では、排気路を形成する内側排気筒と、その外側に給気路を形成するための外側給気筒とを備えた給排気筒本体と、排気路を形成する外側排気筒と、その外側に給気路を形成する内側給気筒とを備えた給排気筒トップとを有する給排気装置に於いて、外周面が内側排気筒の内周面と接するように内側排気筒内に固定して設ける内側排気筒用中和部材と、外周面が外側排気筒の内周面と接するように外側排気筒内に固定して設ける外側排気筒用中和部材とを備え、前記内側排気筒用中和部材を、内側排気筒用外金網部材と内側排気筒用内金網部材との二重の金網で形成した内側排気筒用円筒部材と、該内側排気筒用円筒部材の内側排気筒用外金網部材と内側排気筒用内金網部材との間に配置されて内側排気筒用外金網部材と内側排気筒用内金網部材とで固定された中和剤とで形成すると共に、前記外側排気筒用中和部材を、外側排気筒用外金網部材と外側排気筒用内金網部材との二重の金網で形成した外側排気筒用円筒部材と、該外側排気筒用円筒部材の外側排気筒用外金網部材と外側排気筒用内金網部材との間に配置されて外側排気筒用外金網部材と外側排気筒用内金網部材とで固定された中和剤とで形成したものである。
【発明の効果】
【００１０】
この発明の請求項１によれば、内側排気筒や外側排気筒の内部に発生したドレンは、給排気装置から外に流れる前に、内側排気筒の内部に発生したドレンは内側排気筒用中和部材によって中和され、外側排気筒の内部に発生したドレンは外側排気筒用中和部材によって中和されるので、排気筒内で発生したドレンにより給湯機の前板や排気筒内を腐食するのを防止できると共に、地面に落ちて地面のコンクリートを変質させたりするのを防止できるものである。
【００１１】
また、排気筒の排気口からドレン中和装置まで連続して降下するという特別の構造及び給湯機等の燃焼器具本体の排気筒内で発生したドレンの全てがドレン中和装置に向かって流れ落ちて行く特別の構造が不要であるため、既存の排気筒をそのまま使用することができ、又給湯機等の燃焼器具本体も排気筒内で発生したドレンの全てがドレン中和装置に向かって流れ落ちて行く特別の構造のために器具が大型化したりコストが増加することを防止できるものである。
【００１２】
又、排気筒内で発生したドレンの全てを排気筒内の中和部材で中和させるため、排気筒内で発生したドレンを中和させるために中和装置内の中和剤を減少させることがなく、中和装置内の中和剤の減少が早く、中和装置内への中和剤の補充や中和装置の交換が必要となることを防止できるものである。
【００１３】
又本発明の請求項２によれば、内側排気筒や外側排気筒の内部に発生したドレンは、給排気装置から外に流れる前に、内側排気筒の内部に発生したドレンは内側排気筒用中和部材によって中和され、外側排気筒の内部に発生したドレンは外側排気筒用中和部材によって中和されるので、排気筒内で発生したドレンにより給湯機の前板や排気筒内を腐食するのを防止できると共に、地面に落ちて地面のコンクリートを変質させたりするのを防止できるものである。
【００１４】
また、排気筒の排気口からドレン中和装置まで連続して降下するという特別の構造及び給湯機等の燃焼器具本体の排気筒内で発生したドレンの全てがドレン中和装置に向かって流れ落ちて行く特別の構造が不要であるため、既存の排気筒をそのまま使用することができ、又給湯機等の燃焼器具本体も排気筒内で発生したドレンの全てがドレン中和装置に向かって流れ落ちて行く特別の構造のために器具が大型化したりコストが増加することを防止できるものである。
【００１５】
又、排気筒内で発生したドレンの全てを排気筒内の中和部材で中和させるため、排気筒内で発生したドレンを中和させるために中和装置内の中和剤を減少させることがなく、中和装置内の中和剤の減少が早く、中和装置内への中和剤の補充や中和装置の交換が必要となることを防止できるものである。
【００１６】
又、排気筒用中和部材を酸化カルシウムや炭酸カルシウム等の中和剤を成形することなく簡単な構造で構成することができるものである。
【図面の簡単な説明】
【００１７】
【図１】この発明の一実施形態を示す給排気装置の要部断面図。
【図２】この発明の他の実施形態を示す給排気装置の要部断面図。
【図３】この発明の一実施形態を示す給排気装置を備えた給湯機の概略図。
【発明を実施するための形態】
【００１８】
次に、本発明に係る発明の１実施形態を給気筒と排気筒が一体に設けられた給排気装置にて説明する。
図１の１は給排気装置で、室内と室外を仕切る壁２に設けた貫通孔３を介して、屋内側からは給排気筒本体４と屋外側からは給排気筒トップ５を嵌合させてなり、給排気筒トップ５は屋外に突出して備えられている。
【００１９】
給排気筒本体４は、排気路を形成する内側排気筒６と、その外側に給気路を形成するための外側給気筒７を備え、屋外側の端部を開放した二重筒構造である。  そして、給排気筒本体４の屋内側端部に来る内側排気筒６及び外側給気筒７を室内に設置した燃焼器具８と接続するためのターミナル部（図示せず）が設けられている。
【００２０】
このターミナル部には、前記燃焼器具８の給気菅及び排気管が接続される排気筒接続口（図示せず）と給気筒接続口（図示せず）が設けられ、また、外側給気筒７には、その屋外方向の先端部から給気筒接続口の近傍にまで連続してめねじ部９が形成されている。
【００２１】
給排気筒トップ５は、排気路を形成する外側排気筒１０と、その外側に給気路を形成する内側給気筒１１を構え、屋内側の端部を開放した二重筒構造である。
また、給排気筒トップ５の屋外側の端部には燃焼器具から排出された燃焼排ガスを屋外へ排出するための排気口１２、給排気筒トップ５の内側給気筒１１から燃焼用空気を供給する給気口１３がそれぞれ設けられている。
【００２２】
そして、給排気筒トップ５の外側排気筒１０の内側に給排気筒本体４の内側排気筒６が密接して嵌合し、同時に給排気筒トップ５の内側給気筒１１が給排気筒本体４の外側給気筒７の内側に嵌合し、壁２を給排気筒本体４と給排気筒トップ５とで挟み込んで給排気装置１が構成されている。
また、外側排気筒１０と内側給気筒１１と間隔を存して、その端部をスペーサ１４により連結し給気するのに十分な給気口１３を形成している。
【００２３】
外側排気筒１０の先端側に備えられたスプリングストッパ１５の弾性係止片部１５aは、斜め後方へ跳ね上がった状態で外側給気筒７内周のめねじ部９に係合できるようになっている。
給気筒本体４と給気筒トップ５を壁２から引き抜く際には、給気筒トップ５を屋外側へ回動させることでスプリングストッパ１５の弾性係止片部１５aをめねじ部９の溝に沿って回動し、給気筒本体４と給気筒トップ５を分離することが出来るようになっている。
また、その給排気装置１全体の長さは、給排気筒本体４と給排気筒トップ５のねじこみ深さの調節により調整できる。
【００２４】
そして、燃焼器具８を運転する際は、屋外からの空気が給気口１３を流通し給排気装置１における給排気筒本体４の内側排気筒６と外側給気筒７の間と給排気筒トップ５の外側排気筒１０と内側給気筒１１の間の空間とを通過して屋内の燃焼器具８に燃焼用空気が供給され、燃焼器具８からの排気ガスが給排気装置１における給排気筒本体４の内側排気筒６と外側給気筒７の間と給排気筒トップ５の外側排気筒１０と内側給気筒１１の間の空間を流通し、給排気筒トップ５の屋外側先端部における排気口１２から屋外へ排気されるものである。
【００２５】
１６は中空円筒状の内側排気筒用中和部材で、酸化カルシウムや炭酸カルシウム等の中和剤により中空円筒状に成形され、その外周面が内側排気筒６の内周面と接するように内側排気筒６内に固定して設けられているものであり、又１７は中空円筒状の外側排気筒用中和部材で、酸化カルシウムや炭酸カルシウム等の中和剤により中空円筒状に成形され、その外周面が外側排気筒１０の内周面と接するように外側排気筒１０内に固定して設けられているものである。
【００２６】
尚、前記外側排気筒用中和部材１７は、給排気装置１全体の長さを一番短くした時に内側排気筒６の先端と接触しないように設けられているものである。
【００２７】
以上の構成により内側排気筒６や外側排気筒１０の内部に発生したドレンは、給排気装置１から外に流れる前に、内側排気筒６の内部に発生したドレンは内側排気筒用中和部材１６によって中和され、外側排気筒１０の内部に発生したドレンは外側排気筒用中和部材１７によって中和されるので、排気筒１０内で発生したドレンにより給湯機の前板や排気筒内を腐食するのを防止できると共に、地面に落ちて地面のコンクリートを変質させたりするのを防止できるものである。
【００２８】
また、排気筒の排気口からドレン中和装置まで連続して降下するという特別の構造及び給湯機等の燃焼器具本体の排気筒内で発生したドレンの全てがドレン中和装置に向かって流れ落ちて行く特別の構造が不要であるため、既存の排気筒をそのまま使用することができ、又給湯機等の燃焼器具本体も排気筒内で発生したドレンの全てがドレン中和装置に向かって流れ落ちて行く特別の構造のために器具が大型化したりコストが増加することを防止できるものである。
【００２９】
又、排気筒内で発生したドレンの全てを排気筒内の中和部材で中和させるため、排気筒内で発生したドレンを中和させるために中和装置内の中和剤を減少させることがなく、中和装置内の中和剤の減少が早く、中和装置内への中和剤の補充や中和装置の交換が必要となることを防止できるものである。
【００３０】
次に本発明に係る発明の他の実施形態を図面に基づいて説明する。
この実施形態では、中空円筒状の内側排気筒用中和部材１６を、内側排気筒用外金網部材１８ａと内側排気筒用内金網部材１８ｂとの二重の金網で形成した内側排気筒用円筒部材１８と、該内側排気筒用円筒部材１８の内側排気筒用外金網部材１８ａと内側排気筒用内金網部材１８ｂとの間に配置されて内側排気筒用外金網部材１８ａと内側排気筒用内金網部材１８ｂとで固定された中和剤１９とで形成すると共に、中空円筒状の外側排気筒用中和部材１７を、外側排気筒用外金網部材２０ａと外側排気筒用内金網部材２０ｂとの二重の金網で形成した外側排気筒用円筒部材２０と、該外側排気筒用円筒部材２０の外側排気筒用外金網部材２０ａと外側排気筒用内金網部材２０ｂとの間に配置されて外側排気筒用外金網部材２０ａと外側排気筒用内金網部材２０ｂとで固定された中和剤１９とで形成したものである。
【００３１】
これにより内側排気筒用中和部材１６と外側排気筒用中和部材１７を、酸化カルシウムや炭酸カルシウム等の中和剤を成形することなく簡単な構造で構成することができるものである。
【００３２】
尚、本発明に係る発明の他の実施形態を給排気装置にて説明したがこれに限定されず、排気筒のみからなる排気装置でもよいものである。
【符号の説明】
【００３３】
６  内側排気筒
７  外側給気筒
１６  内側排気筒用中和部材
１７  外側排気筒用中和部材
【図１】
0005563410.tif 000002
【図２】
0005563410.tif 000003
【図３】
0005563410.tif 000004